(57)【要約】ディスクカートリッジが開示される。開示されたディスクカートリッジは、開口ホールが設けられた下部ケースと、下部ケースに回動しつつ開閉自在に設置されて下部ケースとの間にディスクを収納する上部ケースと、下部ケースに摺動自在に設置されて開口ホールを開閉するシャッターと、シャッターに摺動自在に設置されて、シャッターが閉じる時にはディスクの内周側の非情報領域に密着し、シャッターが開く時にはディスクの内周側の非情報領域から離れる密閉部材と、を具備する。このような構成によれば、シャッターが閉じた状態でもホコリの流入を防止してディスクの情報領域が汚染される可能性を減らすことができ、ディスクが上部ケースおよび下部ケース内に固定されるため、移動時の騷音および破損の危険を減らすことができる効果がある。
2005518624.tif 000002
【特許請求の範囲】
【請求項１】
開口ホールが設けられた下部ケースと、
前記下部ケースに回動しつつ開閉自在に設置されて前記下部ケースとの間にディスクを収納する上部ケースと、
前記下部ケースに摺動自在に設置されて前記開口ホールを開閉するシャッターと、
前記シャッターに摺動自在に設置されて、前記シャッターが閉じる時には前記ディスクの内周側の非情報領域に密着し、前記シャッターが開く時には前記ディスクの内周側の非情報領域から離れる密閉部材とを具備することを特徴とするディスクカートリッジ。
【請求項２】
前記密閉部材は傾斜面を持ち、前記シャッターに形成された切除部の内側傾斜面に沿って上昇または降下しつつ前記ディスクの内周側の非情報領域に密着または離隔されるスペース部と、
前記シャッターの開閉時に前記シャッターに形成されたスロットに沿って摺動する摺動部と、
前記スペース部と摺動部とを連結して弾性変形が可能なレバー部とを具備することを特徴とする請求項１に記載のディスクカートリッジ。
【請求項３】
前記スペース部の上面にはシーリング部材が設けられており、このシーリング部材にディスクの内周側の非情報領域が密着されることを特徴とする請求項２に記載のディスクカートリッジ。
【請求項４】
前記スロットには傾斜部が設けられており、前記スペース部が上昇すれば前記摺動部も前記シャッターの下面から上昇し、前記スペース部が降下すれば前記摺動部も前記シャッターの下面に降下することを特徴とする請求項２に記載のディスクカートリッジ。
【請求項５】
前記下部ケースには、前記シャッターが開く時に前記摺動部が円滑に降下できるように干渉する干渉部が設けられていることを特徴とする請求項２に記載のディスクカートリッジ。
【請求項６】
前記干渉部は前記シャッターの最大開き角よりも小さな角度に位置していることを特徴とする請求項５に記載のディスクカートリッジ。
【請求項７】
前記下部ケースには、前記シャッターが開く時に前記スペース部が挿入されて位置できるパーキング部が形成されていることを特徴とする請求項２に記載のディスクカートリッジ。
【請求項８】
前記シャッターには、傾斜面を持って前記ディスクの非情報領域を支持して、前記シャッターが開く時にはディスクが前記傾斜面に沿って降下し、前記シャッターが閉じる時にはディスクが前記傾斜面に沿って上昇して前記上部ケースに密着する突出部が設けられていることを特徴とする請求項１に記載のディスクカートリッジ。
【請求項９】
前記下部ケースには、前記傾斜面に沿って降下するディスクの内周側の非情報領域を支持する突起が設けられていることを特徴とする請求項８に記載のディスクカートリッジ。
【請求項１０】
前記上部ケースの前記ディスクの非情報領域と接触する部分にはシーリング部材が設けられており、このシーリング部材にディスクが密着されることを特徴とする請求項８に記載のディスクカートリッジ。
【発明の詳細な説明】
【技術分野】
【０００１】
本発明はディスクカートリッジに係り、より詳細にはディスクを収納してホコリや指紋などの汚染源からその記録面を保護するディスクカートリッジに関する。
【背景技術】
【０００２】
一般的にディスクカートリッジは情報記録再生媒体であるディスクを収納してディスクドライブ装置に装着されるものであって、図１に示すように、ディスクＤを収納するケース１０１と、ケース１０１内に回転自在に設置されてディスクドライブ装置のピックアップ（図示せず）がディスクＤにアクセスできるようにケース１０１に形成された開口ホール１０２を選択的に開閉するシャッター１１０および、ケース１０１の上部に固定されるカバー１０３を具備する。参照符号１０３ｂは、ディスクＤの交換のためにカバー１０３に形成された開放ホールを表し、参照符号１０３ａは、開放ホール１０３ｂを通じてディスクＤが離脱しないようにカバー１０３に摺動自在に設置された離脱防止レバーを表す。したがって、ディスクＤを装着する時には前記離脱防止レバー１０３ａをディスクＤと干渉されないように後進させ、装着が完了した後には離脱防止レバー１０３ａを図のように前進させてその先端部への開放ホール１０３ｂを通じるディスクＤの離脱を防ぐ。
【０００３】
このようなディスクＤが装着されたディスクカートリッジ１００をディスクドライブ装置に進入させれば、図２Ａに示すようにディスクドライブ装置に設置されたオープニングレバー１２０がロック片１１１ａを先に押してシャッター１１０の突起１１１ｃとケース１０１の溝１０１ａ間のロックを解除させ、次いで、図２Ｂに示したように、干渉片１１１ｂを押して回動させる。シャッター１１０は左右回転軸１１０ａにそれぞれ回転自在に設置されて連動ギア部１１３で噛み合った第１および第２シャッター部１１１、１１２より構成されており、干渉片１１１ｂと一体に連結された第１シャッター部１１１が時計回り方向に回転すれば、第２シャッター部１１２は反時計回り方向に回転するようになり、それにより第１および第２シャッター部１１１、１１２の間が離れつつ開口ホール１０２が開放される。したがって、以後には開放された開口ホール１０２を通じてディスクドライブ装置のピックアップ（図示せず）がディスクＤの情報領域にアクセスして情報の記録および／または再生作業を実行する。そして、図には示していないが、第１シャッター部１１１とケース１０１の底面間にはその第１シャッター部１１１を図の反時計回り方向、すなわち、開口ホール１０２を閉じる方向に付勢するトーションバネが回転軸１１０ａに設置されていて、オープニングレバー１２０により加えられた力が除去されればシャッター１１０を元来の閉鎖状態に復帰させる。
【０００４】
ところが、このような構成では、ケース１０１内にシャッター１１０を設置し、そのシャッター１１０上にディスクＤを載置するため、シャッター１１０の開閉動作時にディスク情報領域（図のディスク下面）とシャッター１１０間に面接触が発生するようになり、ディスク記録面にスクラッチなどの損傷を負う恐れがある。
【０００５】
また、カバー１０３の開放ホール１０３ｂを通じてホコリが流入されうる。もちろん、開放ホール１０３ｂ側に向っているディスクＤの上面は情報領域でないために直接的にホコリによる汚染は生じないが、ディスクＤとカバー１０３間のスキ間を通じてホコリが入ってシャッター１１０上につけば、前記のような開閉動作時にシャッター１１０上にあったホコリが２次的にディスクの記録面についてしまう。したがって、ディスクの情報領域を保護できる構造が要求されている。
【発明の開示】
【発明が解決しようとする課題】
【０００６】
本発明は前記の必要性を勘案してなされたものであり、ケース内に設置されたシャッターの開閉動作時にもディスク情報領域を汚染源から保護できるように改善されたディスクカートリッジを提供するところにその目的がある。
【０００７】
前記目的を達成するために本発明のディスクカートリッジは、開口ホールが設けられた下部ケースと、前記下部ケースに回動しつつ開閉自在に設置されて前記下部ケースとの間にディスクを収納する上部ケースと、前記下部ケースに摺動自在に設置されて前記開口ホールを開閉するシャッターと、前記シャッターに摺動自在に設置されて、前記シャッターが閉じる時には前記ディスクの内周側の非情報領域に密着され、前記シャッターが開く時には前記ディスクの内周側の非情報領域から離れる密閉部材とを具備する。
【発明を実施するための最良の形態】
【０００８】
図３は、本発明の望ましい実施例によるディスクカートリッジの分離斜視図であり、図４は、本発明の望ましい実施例によるディスクカートリッジの結合状態を示す斜視図である。
【０００９】
図３および図４を参照すれば、ディスクカートリッジ２００は、ディスクプレーヤ（図示せず）に挿入されてディスクＤが載置されるターンテーブルと、光ピックアップ装置（図示せず）が位置する開口ホール２０２が設けられた下部ケース２０１と、下部ケース２０１に回動されつつ開閉自在に設置されて下部ケース２０１との間にディスクＤを収納する上部ケース２０３と、下部ケース２０１に摺動自在に設置されて開口ホール２０２を開閉するシャッター２１０と、シャッター２１０が開く時にはシャッター２１０に対して降下し、シャッター２１０が閉じる時には上昇してディスクＤの内周側クランプ領域Ｄ１に密着されてディスクＤの情報領域Ｄ２へのホコリの付着を防止する密閉部材２４０とを具備する。
【００１０】
シャッター２１０は、下部ケース２０１の内部に相互対称的に回転可能に設置された第１および第２シャッター部２１１、２１２よりなる。したがって、第１および第２シャッター部２１１、２１２が互いに離れる方向に回転すれば開口ホール２０２が開放され（図８参照）、逆に互いに近づく方向に回転すれば開口ホール２０２が閉塞される（図６参照）。参照符号２１３は、第１および第２シャッター部２１１、２１２を連動自在に連結させる連動ギア部であって、それにより第１シャッター部２１１が回転すれば第２シャッター部２１２はそれと対称となる方向に共に回転する。そして、第１および第２シャッター部２１１、２１２と下部ケース２０１の底面間には開口ホール２０２を閉じる方向にそれらを付勢するトーションバネ２０４が設置されており、オープニングレバー１２０（図８参照）により加えられた力が除去されればシャッター２１０を元来の閉鎖状態に復帰させる。
【００１１】
そして、第１および第２シャッター部２１１、２１２にはディスクＤの外周側枠部Ｄ３に接触する突出部２２０、２３０が形成されている。すなわち、ディスクＤには情報が記録される情報領域Ｄ２と、ディスクＤの内周側クランプ領域Ｄ１および情報領域Ｄ２外郭の枠部Ｄ３の非情報領域とが設けられているが、突出部２２０、２３０が枠部Ｄ３を支持することによって情報領域Ｄ２とシャッター２１０との接触を回避させる。そして、突出部２２０、２３０は、ディスクＤが載置された方向に向って傾いた傾斜面２２１、２３１を具備する。したがって、第１および第２シャッター部２１１、２１２が閉じている時にはディスクＤの枠部Ｄ３が突出部２２１、２３１の上端に支持されているが、第１および第２シャッター部２１１、２１２が開けばディスクＤが傾斜面２２１、２３１に沿って降下する。降下したディスクＤは、下部ケース２０１に形成された第１突起２０５により内周側クランプ領域Ｄ１が支持される。したがって、ディスクＤはシャッター２１１、２１２と接触しないために、シャッター２１１、２１２が開閉される場合にディスクＤの情報領域にスクラッチが発生しなくなる。第１および第２シャッター部２１１、２１２には突起２０５が挿入されうるホール２１５が形成されている。第１および第２シャッター部２１１、２１２の背面には複数個の第２突起２１４が設けられており、これに対応する下部ケース２０１には、シャッター２１０が開閉される時に第２突起２１４が干渉されないようにスロット２０６が形成されている。したがって、第１および第２シャッター部２１１、２１２に外部から力が加えられても、第１および第２シャッター部２１１、２１２が第２突起２１４に支持されてディスクＤの情報領域Ｄ２に接触することが回避される。
【００１２】
また、第１および第２シャッター部２１１、２１２が閉じた時、中央に貫通ホール２１８が形成されるようにそれぞれに半楕円形の切除部２１６が形成されている。これは、上部ケース２０３を開けてディスクＤを取り出す時、ユーザーがディスクＤの中央ホールに指を取り出し易くするためのものであり、シャッター２１０にも貫通ホール２１８が形成されれば、ディスクＤの中央ホールを通じて指をさらに深く入れた後に曲げることができてディスクＤの取り出しが容易になるからである。また、ディスクＤに向かっているシャッター２１０の上面にホコリが積もる場合に、シャッター２１０に形成された貫通ホール２１８を通じてホコリを外部に排出させるためのものである。
【００１３】
後述する傾斜部２４１ａが形成されたスペース部２４１（図５参照）が容易に上昇または降下できるように、傾斜部２４１ａと接触する切除部２１６は傾いて形成されることが望ましい。
【００１４】
図面符号２５０は、下部ケース２０１に結合されるバネカバーを示す。
【００１５】
図５は、図３に示した密閉部材を拡大した図である。密閉部材２４０は第１および第２シャッター部２１１、２１２にそれぞれ設けられており、全体的な形状が半楕円形であってシャッター２１０の切除部２１６に沿って上昇または降下可能に傾斜部２４１ａが形成されているスペース部２４１と、シャッター２１０に形成されたガイドホール２１７（図３参照）に沿って摺動自在に設置される摺動部２４２と、スペース部２４１と摺動部２４２とを連結してそれ自体が弾性変形可能なレバー部２４３とを具備する。
【００１６】
シャッター２１０が閉じると、第１および第２シャッター部２１１、２１２にそれぞれ設けられたスペース部２４１は切除部２１６に沿って上昇しつつその両端がそれぞれ当接して、スペース部２４１の上面がディスクＤのクランプ領域Ｄ３に密着される。シャッター２１０が開けば、スペース部２４１は切除部２１６に沿って降下しつつ互いに離れてディスクＤのクランプ領域Ｄ３から離隔される。
【００１７】
スペース部２４１の上面には、ディスクＤのクランプ領域Ｄ１と密着してホコリなどの異物が流入されないようにシーリング部材が設けられることが望ましい。このシーリング部材は密着力を受けることによって弾性変形可能な材質、例えば、不織布で製作されることが望ましい。
【００１８】
下部ケース２０１には、シャッター２１０が開く時、スペース部２４１が挿入されて位置するようにパーキング部２０８（図３参照）が形成されている。パーキング部２０８には、スペース部２４１と接触する部分にスペース部２４１の傾斜部２４１ａが容易に摺動できるように傾いて形成されることが望ましい。
【００１９】
ガイドホール２１７には、図７および図９に示すように傾斜面２１７ａが設けられている。スペース部２４１が上昇すれば摺動部２４２もシャッター２１０の下面から上昇し、スペース部２４１が降下すれば摺動部２４２も前記シャッターの下面に降下する。すなわち、シャッター２１０が閉じる時は、摺動部２４２はシャッター２１０の下面から上昇した位置に置かれ、スペース部２４１は切除部２１６に沿って上昇しつつレバー部２４３が容易に弾性変形可能になる。
【００２０】
一方、シャッター２１０が開く時には、摺動部２４２はシャッター２１０の下面側に位置してガイドホール２１７に挿入されるため、スピンドルモータ（図示せず）は干渉されずに安定的に動作できる。
【００２１】
下部ケース２０１にはシャッター２１０が開く時、摺動部２４２を干渉してスペース部２４１がパーキング部２０８に円滑に挿入されて位置できるように突設された干渉部２０７（図３参照）が設けられている。干渉部２０７は、下部ケース２０１にシャッター２１０の最大開き角よりも小さな角内に位置することが望ましい。そして、シャッター２１０の背面には、シャッター２１０が開閉される時に干渉部２０７によって妨害されないように摺動溝（図示せず）が形成されることが望ましい。
【００２２】
上部ケース２０３には、ディスクドライブ装置に進入してディスクＤをクランプするクランプ装置が挿入されうるクランプホール２０３ａ（図３参照）が形成されている。クランプホール２０３ａを取り囲む周囲にはシーリング部材２６０が設けられることが望ましいが、これは、クランプホール２０３ａを通じてホコリなどの異物が流入されることを防止して２次的にディスクＤの情報領域Ｄ２がホコリなどによって汚染されることを回避できる。シーリング部材２６０は、ディスクＤの外周側枠部Ｄ３に接触するように設けられることもある。
【００２３】
前記のように本発明の望ましい実施例によるディスクカートリッジの動作を図面を参照して説明する。
【００２４】
図６は、図３に示したディスクカートリッジのシャッター閉鎖状態を示す平面図であり、図７は、図６に示したIV−IV線断面図であり、図８は、図３に示したディスクカートリッジのシャッター開放状態を示す平面図であり、図９は、図８に示したV−V線断面図であり、図１０は、シャッターが開く時の密閉部材とガイドホールとの動作関係を概略的に示す断面図であり、図１１は、シャッターが閉じる時の密閉部材とガイドホールとの動作関係を概略的に示す断面図である。
【００２５】
まず、図８、図９および図１０を参照すれば、ディスクＤが装着されたディスクカートリッジ２００は、図６に示したように上部ケース２０３が下部ケース２０１に密着された状態でシャッター２１０が閉じた状態にディスクドライブ装置（図示せず）内へ進入する。
【００２６】
ディスクカートリッジ２００が進入すれば、ディスクドライブ装置に設置されたオープニングレバー１２０がロック片２１１ａを押して係止部２１１ｃから解除させた後、干渉片２１１ｂを押して第１シャッター部２１１を図の反時計回り方向に回転させる。それにより、第２シャッター部２１２は連動ギア部２１３により時計回り方向に回転し、第１および第２シャッター部２１１、２１２の間に開口ホール２０２が開放される。この時、ディスクＤには第１および第２シャッター部２１１、２１２の突出部２２０、２３０だけ接触しており、その接触部位も非情報領域であるディスクＤの枠部Ｄ３に限定されているために、シャッター２１０の開閉動作時にも記録面の情報領域が損傷を負う危険はほとんどなくなる。そして、シャッター２１０が開くにつれて、ディスクＤは突出部２２０、２３０の傾斜面２２１、２３１に沿って降下して第１突起２０５上に一時的に支持される。
【００２７】
密閉部材２４０は、スペース２４１部の両端が当接してスペース２４１の上面がディスクＤの内部側のクランプ領域Ｄ１に密着接触しており、シャッター２１０が開くにつれて摺動部２４２が摺動ホール２１７に沿って移動する。よって、スペース２４１部は切除部２１６に沿って降下する。摺動部２４２は、摺動ホール２１７の傾斜面２１７ａに沿って移動してシャッター２１０の下面側に移動する。摺動部２４２が干渉部２０７に接触しつつスペース部２４１はパーキング部２０８に挿入されて位置する。
【００２８】
この状態で開放された開口ホール２０２を通じてディスクドライブ装置のターンテーブルが進入し、上部ケース２０３のクランプホール２０３ａを通じてクランパーが進入して第１突起２０５に支持されていたディスクＤをクランプする。以後、ターンテーブルの回転駆動と共にディスクＤに対する記録および再生作業が行われる。
【００２９】
次に、図５、図６および図１１を参照すれば、記録および再生作業が終了して前記ターンテーブルおよびクランパーによるクランプが解除されれば、ディスクＤは一旦第１突起２０５上にクランプ領域Ｄ１が支持された状態に載置される。この状態でディスクカートリッジ２００がディスクドライブ装置から離脱すれば第１および第２シャッター部２１１、２１２が元来の位置に回動して開口ホール２０２が閉じるが、この時、ディスクＤの外周側枠部Ｄ３が突出部２２０、２３０の傾斜面２２１、２３１に沿って上昇する。したがって、ディスクＤの外周側枠部Ｄ３は上部ケース２０３のシーリング部材と密着接触するので、クランプホール２０３ａを通じてホコリが流入されても、ホコリのさらなるディスクＤの情報領域Ｄ２への流入が防止される。
【００３０】
そして、シャッター２１０が閉じることによって摺動部２４２は干渉部２０７との干渉が解除されつつ摺動ホール２１７に沿って摺動する。それにより、スペース部２４１はパーキング部２０８から離隔されて切除部２１６に沿って上昇する。第１および第２シャッター部２１１、２１２が互いに結合されれば、第１および第２シャッター部２１１、２１２に設けられた密閉部材２４０のスペース部２４１は、相互接触しつつディスクＤの非情報領域である内周側クランプ領域Ｄ１に密着接触してホコリなどの異物が情報領域Ｄ２に流入されることを防止する。結果的にディスクＤはシーリング部材２６０によって上部ケース２０３に密着接触し、密閉部材２４０によってシャッター２１０に密着されて上部ケース２０３および下部ケース２０１内に固定されているので、ディスクカートリッジ２００の移動時に破損の危険が減る。
【産業上の利用可能性】
【００３１】
前述したように、本発明によるディスクカートリッジは、
第１に、シャッターが閉じた状態でもディスクの内周側クランプ領域周囲に密閉部材が密着されるために、ホコリの流入を防止してディスクの情報領域が汚染される可能性を減らしうる。
【００３２】
第２に、ディスクの内周側クランプ領域周囲に設けられる密閉部材によってディスクが上部ケースおよび下部ケース内に固定されるため、移動時の騷音および破損の危険を減らしうる。
【図面の簡単な説明】
【００３３】
【図１】従来のディスクカートリッジを示す斜視図である。
【図２Ａ】図１に示したディスクカートリッジのシャッター開閉状態を示す平面図である。
【図２Ｂ】図１に示したディスクカートリッジのシャッター開閉状態を示す平面図である。
【図３】本発明によるディスクカートリッジの分離斜視図である。
【図４】図３の結合状態を示す図である。
【図５】図３に示した密閉部材を拡大した斜視図である。
【図６】図３に示したディスクカートリッジのシャッター閉鎖状態を示す平面図である。
【図７】図６に示したIV−IV線断面図である。
【図８】図３に示したディスクカートリッジのシャッター開放状態を示す平面図である。
【図９】図８に示したV−V線断面図である。
【図１０】シャッターが開く時の密閉部材とガイドホールとの動作関係を概略的に示す断面図である。
【図１１】シャッターが閉じる時の密閉部材とガイドホールとの動作関係を概略的に示す断面図である。
【図１】
2005518624.tif 000003
【図２Ａ】
2005518624.tif 000004
【図２Ｂ】
2005518624.tif 000005
【図３】
2005518624.tif 000006
【図４】
2005518624.tif 000007
【図５】
2005518624.tif 000008
【図６】
2005518624.tif 000009
【図７】
2005518624.tif 000010
【図８】
2005518624.tif 000011
【図９】
2005518624.tif 000012
【図１０】
2005518624.tif 000013
【図１１】
2005518624.tif 000014
【国際調査報告】
2005518624.tif 000015